(57)【特許請求の範囲】
【請求項１】
脚と、この脚の上端に設けられ、鉛直方向に貫通する取付け用穴を有する頸部と、前記頸部の底面に設けられ、一端が前記頸部に回転自在に支持され、開口を有するＵ字部材と、前記Ｕ字部材の開口に遊嵌されるとともに前記Ｕ字部材に対して上下方向に固定され、前記取付け用穴内を挿通して前記頸部の上面から突出するネジ部を有する定心かんと、前記Ｕ字部材を前記頸部の底面から離間する方向に付勢する手段とを備えた測量機用三脚。
【請求項２】
前記付勢手段が前記頸部底面と前記Ｕ字部材の間に設けられたレバーと、前記レバーに螺合し前記Ｕ字部材を回転自在に支持するボルトと、前記ボルトの頸部に設けられて前記Ｕ字部材を前記頸部底面側に押圧するバネから成ることを特徴とする請求項１に記載の測量機用三脚。
【請求項３】
前記付勢手段が前記頸部底面に設けられた溝部と、前記溝部に設けられ、前記Ｕ字部材に当接する偏心カムと、この偏心カムを回転軸まわりに回動する偏心レバーとから成ることを特徴とする請求項１に記載の測量機用三脚。
【発明の詳細な説明】
【０００１】
【発明の属する技術分野】
本発明は、測量を行うときに測量機を載せる測量機用三脚に関するものである。
【０００２】
【従来の技術】
通常測量機は定心かんと呼ばれるネジによって三脚に連結固定される。三脚の頚部の上面である脚頭は精密平面仕上げが施され、測量機が滑るように移動でき、測量機の設置作業において定心かんは脚頭に対してある程度の範囲で自由に移動できる。測量機を三脚の上に設置した状態で定心かんを軽く締め仮固定し、整準および求心を行って測量機を所定の位置に定めた後、仮固定していた定心かんを更に強く締め測量機が動かないように本固定する。
【０００３】
【発明が解決しようとする課題】
しかしながら、このような従来の測量機用三脚においては、測量機の整準と求心が終了し、測量機を本固定するために定心かんを回動すると、その回転力が平滑な脚頭と測量機底部の摩擦力より大きいので、脚頭と測量機底部の間で滑りが発生し、せっかく行った求心がずれてしまい、設置作業をやり直さなくてはならないという問題点があった。
【０００４】
本発明は本固定によって測量機の位置がずれることのない測量機用三脚を提供することを目的としている。
【０００５】
【課題を解決するための手段】
本発明の測量機用三脚において、脚と、この脚の上端に設けられ、鉛直方向に貫通する取付け用穴を有する頚部と、頚部の底面に設けられ、一端が頚部に回転自在に指示され、開口を有するＵ字部材と、Ｕ字部材の開口に遊嵌されるとともにＵ字部材に対して上下方向に固定され、取付け用穴内を挿通して頚部の上面から突出するネジ部を有する定心かんと、Ｕ字部材を頚部の底面から離間する方向に付勢する手段とを備えたことを特徴とする。
【０００６】
測量機用三脚において、好ましくは、付勢手段が頚部底面とＵ字部材の間に設けられたレバーと、レバーに螺合しＵ字部材を回転自在に支持するボルトと、ボルトの頚部に設けられてＵ字部材を頚部底面側に押圧するバネから成る。
【０００７】
測量機用三脚において、好ましくは、付勢手段が頚部底面に設けられた溝部と、溝部に設けられ、Ｕ字部材に当接する偏心カムと、この偏心カムを回転軸まわりに回動する偏心レバーとから成る。
【０００８】
【発明の実施の形態】
以下、本発明による測量機用三脚の実施形態を添付図面を参照しながら説明する。
【０００９】
図１〜図３は測量機用三脚の第１実施形態を示している。測量機用三脚１２は３本の脚１４と、脚１４の上端部に設けられた頚部２２を有する。測量機１０は頚部２２の上面である脚頭部２０に載置され、取り付けられる。各脚１４は一対の平行な脚板１４ａと、脚板１４ａに摺動自在に支持され、脚板１４ａの下端に設けられたクランプ１６を貫通して下方へ延びるスライド脚１４ｂとを有する。スライド脚１４ｂの下端には石突き１８が設けられている。
【００１０】
３本の脚１４の上端は六角板状の頚部２２に連結され、この頚部２２には中央に鉛直方向に貫通した取付け用穴である円柱穴２３が設けられている。頚部２２の底面２２ａにはＵ字部材３０がボルト４０により取り付けられている。Ｕ字部材３０は中空の定心かん２４を上下方向に固定している。定心かん２４は円柱穴２３内を挿通しており、定心かん２４の先端に形成されたネジ部２８が頚部２２の上面から突出している。このネジ部２８は測量機１０の底面に設けられたネジ穴に螺合される。これにより測量機１０は三脚１２に連結される。
【００１１】
Ｕ字部材３０は一対の平行に延びる支持部３０ａと支持部３０ａの端部に設けられ、２つの支持部３０ａを連結する枢着部３０ｂとを有する。定心かん２４は支持部３０ａを遊嵌しており、支持部３０ａに沿って変位自在であるが上下方向に対しては固定されている。枢着部３０ｂはボルト４０により頚部２２の底面２２ａに回動自在に支持され、また、Ｕ字部材３０がボルト４０に対してわずかな鉛直方向の遊びを持つように設けられている。
【００１２】
ボルト４０の頭部にはバネ４４が設けられ、このバネ４４はＵ字部材３０の枢着部３０ｂを底面２２ａに付勢している。バネ４４は鉛直方向の遊びによるＵ字部材３０およびレバー４２のがたつきを無くすために設けられている。さらにボルト４０には、ネジ穴を有するレバー４２がネジ嵌合されている。このレバー４２は底面２２ａとＵ字部材３０の枢着部３０ｂとの間に回転自在に設けられている。
【００１３】
頚部２２の底面２２ａには、円柱穴２３に対してボルト４０の対称位置にＵ字部材ガイド５０が設けられている。Ｕ字部材ガイド５０は底面２２ａから下方に突出しており、円柱穴２３側に開口した溝部５２を有する。Ｕ字部材ガイド５０および溝部５２は、頚部２２の図２におけるＵ字部材３０に対して垂直方向に延びており、溝部５２はＵ字部材３０の２つの端部３０ｃを受容している。つまりＵ字部材３０がボルト４０まわりに回転するとき、端部３０ｃは溝部５２内で自在に水平移動することができるが、鉛直方向には移動規制されている。
【００１４】
次に、測量機１０を三脚１２に取り付ける手順を説明する。まず脚頭２０に測量機１０を載せ、定心かん２４のネジ部２８と測量機１０のネジ穴を螺合させるように、定心かん２４を軸心まわりに回転させ仮固定する。すなわち仮固定の時点では、測量機１０は脚頭２０の面上において変位自在である。この状態で測量機１０自身の整準をとり、求心望遠鏡を覗きながら測量機１０を脚頭２０の面上を滑らせて動かし、測点の真上に求心する。求心を終えたあと本固定を行う。本固定ではレバー４２を図２における時計周りに回動させる。これによりＵ字部材３０を介して定心かん２４は鉛直方向に付勢され、測量機１０が所定の位置に定められる。
【００１５】
詳述すると、レバー４２はボルト４０に対してネジ嵌合しているので、時計周りに回動することによりネジのピッチ分だけ下方に移動する。レバー４２の移動に従ってＵ字部材３０の枢着部３０ｂが下方に変位する。Ｕ字部材３０の枢着部３０ｂはボルト４０の頭部に接するまで鉛直方向に変位可能である。Ｕ字部材３０の端部３０ｃは頚部２２に支持固定されているので、枢着部３０ｂが下方に押されると、Ｕ字部材３０に嵌合している定心かん頭部２６も下方に押される。したがって定心かん２４にネジ結合している測量機１０が下方に引っ張られ、頚部２２に強固に固定される。
【００１６】
つまり、Ｕ字部材３０を端部３０ｃで支持固定し、枢着部３０ｂで下方に押圧して鉛直方向に付勢している。Ｕ字部材３０に嵌合した定心かん２４は回転力を与えられずに下方向への引張力のみで測量機１０を固定する。したがって、測量機１０は水平方向には移動せず、求心は狂わない。
【００１７】
測量が終了して脚頭２０から測量機１０を外す場合、レバー４２を反時計周りに回動するとＵ字部材３０の枢着部３０ｂが押圧された位置から解放される。この後定心かん２４を緩め、測量機１０から取り外せばよい。
【００１８】
図４及び図５は測量機用三脚の第２実施形態を示している。基本構成は第１実施形態と同じであり、その詳述は省略する。なお、第１実施形態と対応する部分は同番号で記している。第２実施形態では、付勢手段は頚部２２の底面２２ａに設けられ、円柱穴２３に対してＵ字部材保持用ボルト６６の対称位置にある偏心カム６０である。
【００１９】
図５で示すように、Ｕ字部材保持用ボルト６６はＵ字部材３０の枢着部３０ｂにおいて頚部２２の底面２２ａにネジ結合しており、枢着部３０ｂと底面２２ａおよびボルト６６の頭部との間にはそれぞれワッシャー４６が設けられている。円柱穴２３に対してボルト６６の位置の対称である底面２２ａには、溝部６５が蒲鉾形にくり抜かれている。この溝部６５には円柱状の偏心カム６０が回転自在に設けられ、端部３０ｃに当接している。偏心カム６０には偏心カム６０の軸線にほぼ垂直な偏心レバー６２が一体的に形成されている。また、偏心カム６０は図示しない軸受によって軸心６０ａのまわりに回転自在に支持されている。
【００２０】
次にこの実施形態の作用を説明する。例えば図５における時計周り方向に偏心レバー６２を回動すると、偏心カム６０は軸心６０ａのまわりに回動する。偏心カム６０が回動するにつれて、回転軸からＵ字部材３０に当接する点までの距離が長くなり、Ｕ字部材３０を押圧する。Ｕ字部材３０は枢着部３０ｂにおいて頚部底面２２ａに支持固定されているので、端部３０ｃが下方に押圧されると、定心かん頭部２６を鉛直下方に押すことになる。したがって、定心かん２４に螺合している測量機１０は下方に引張され、脚頭２０に強固に固定される。
【００２１】
つまり第２実施形態では、第１実施形態とは逆にＵ字部材３０を枢着部３０ｂで支持固定し、端部３０ｃで下方に押圧している。Ｕ字部材３０とＵ字部材３０に嵌合した定心かん２４はともに鉛直下方へ押され、引張力のみで測量機１０を本固定するという第１実施形態と同様の効果が得られる。
【００２２】
この実施形態でも、上記のように偏心レバー６２を回動する操作だけで測量機１０を強固に固定でき、求心をやり直す必要がない。また測量機１０を外すときは、上記の操作を逆に行えばよい。
【００２３】
なお第１実施形態においてレバー４２はボルト４０と螺合してボルト４０の回転によるネジピッチの移動を鉛直方向の力としているが、その他の手段、例えばクサビ状の傾斜面を滑らす構造などでもよい。また、バネ４４は本固定を行わない状態のわずかな鉛直方向の遊びによるＵ字部材３０のがたつきを無くすためのもので、その他の手段を用いてもよい。
【００２４】
【発明の効果】
以上述べたように、この発明によれば本固定によって測量機の位置がずれることのない測量機用三脚を提供することができる。
【図面の簡単な説明】
【図１】本発明の実施形態である測量機用三脚を測量機と共に示す斜視図である。
【図２】本発明の第１実施形態である測量機用三脚の脚以下を省略した頚部の平面図である。
【図３】図２に示した測量機用三脚であって図２のＩ−Ｉ線に沿う断面図である。
【図４】本発明の第２実施形態である測量機用三脚の脚以下を省略した頚部の平面図である。
【図５】図４に示した測量機用三脚であって図４のＩＩ−ＩＩ線に沿う断面図である。
【符号の説明】
１０  測量機
１２  三脚
２２  頚部
２４  定心かん
３０  Ｕ字部材
４０  ボルト
４２  レバー
５０  Ｕ字部材ガイド
６０  偏心カム
【図１】
0003676501.tif 000002
【図２】
0003676501.tif 000003
【図３】
0003676501.tif 000004
【図４】
0003676501.tif 000005
【図５】
0003676501.tif 000006